(57)【特許請求の範囲】
【請求項１】
番号ポータビリティサービスのためにＩＳＤＮユーザパート（ＩＳＵＰ）メッセージをセッション開始プロトコル（ＳＩＰ）メッセージに変換する方法であって、
受信手段により、ＩＳＵＰメッセージを受信するステップと、
読み取り手段により、ＩＳＵＰメッセージから番号ポータビリティに関連したパラメータを読み取るステップと、
型判定手段により、番号ポータビリティに関連したパラメータによって番号ポータビリティの型を判定するステップと、
マッピング手段により、番号ポータビリティの型に基づいて、番号ポータビリティに関連したパラメータをＳＩＰメッセージにマッピングするステップとを備え、ＳＩＰメッセージが、宛先ユーザ番号を表す宛先アドレスパラメータと、番号ポータビリティディップの実行を示し、番号ポータビリティの型を一意に識別する番号ポータビリティディップ（ｎｐｄｉ）パラメータと、宛先ユーザ番号に送られるべき番号を表すルーティング番号（ｒｎ）パラメータとを含む、方法。
【請求項２】
番号ポータビリティの型を判定するステップが、問い合わせユニットにより、番号ポータビリティの型を引き出すために番号ポータビリティ型データベースに問い合わせることを備え、番号ポータビリティ型データベースが番号ポータビリティの型および対応するＩＳＵＰメッセージの中の番号ポータビリティに関連したパラメータを記録する、請求項１に記載の方法。
【請求項３】
番号ポータビリティ型データベースでは、
番号ポータビリティの型が型１である場合、対応するＩＳＵＰメッセージの中の番号ポータビリティに関連したパラメータが転送呼び出しインジケータ（ＦＣＩ）の中の番号変換インジケータビットと被呼者番号（ＣｄＰＮ）と一般アドレスパラメータ（ＧＡＰ）とを備え、
番号ポータビリティの型が型２である場合、対応するＩＳＵＰメッセージの中の番号ポータビリティに関連したパラメータが被呼者番号（ＣｄＰＮ）と被呼者電話帳番号（ＣｄＤＮ）とアドレスの性質（ＮＯＡ）パラメータとを備え、
番号ポータビリティの型が型３である場合、対応するＩＳＵＰメッセージの中の番号ポータビリティに関連したパラメータが被呼者番号（ＣｄＰＮ）とネットワークルーティング番号（ＮＲＮ）とを備え、
番号ポータビリティの型が型４である場合、対応するＩＳＵＰメッセージの中の番号ポータビリティに関連したパラメータが被呼者番号（ＣｄＰＮ）とアドレスの性質（ＮＯＡ）パラメータとを備え、被呼者番号がルーティング番号と電話帳番号とを連結することによって形成される、請求項２に記載の方法。
【請求項４】
番号ポータビリティに関連したパラメータをＳＩＰメッセージにマッピングするステップが、
番号ポータビリティの型が型１である場合には、
一般アドレスパラメータを宛先アドレスパラメータにマッピングすることと、
被呼者番号をルーティング番号パラメータにマッピングすることと、
ｎｐｄｉパラメータを値１に設定することとを備え、
番号ポータビリティの型が型２である場合には、
被呼者電話帳番号を宛先アドレスパラメータにマッピングすることと、
被呼者番号をルーティング番号パラメータにマッピングすることと、
ｎｐｄｉパラメータを値２に設定することとを備え、
番号ポータビリティの型が型３である場合には、
被呼者番号を宛先アドレスパラメータにマッピングすることと、
ネットワークルーティング番号をルーティング番号パラメータにマッピングすることと、
ｎｐｄｉパラメータを値３に設定することとを備え、
番号ポータビリティの型が型４である場合には、
被呼者番号を宛先アドレスパラメータにマッピングすることと、
ｎｐｄｉパラメータを値４に設定することとを備えるか、または
被呼者番号の中の電話帳番号を宛先アドレスパラメータにマッピングすることと、
被呼者番号の中のルーティング番号をルーティング番号パラメータにマッピングすることと、
ｎｐｄｉパラメータを値４に設定することとを備える、請求項３に記載の方法。
【請求項５】
番号ポータビリティサービスのためにＩＳＤＮユーザパート（ＩＳＵＰ）メッセージをセッション開始プロトコル（ＳＩＰ）メッセージに変換するための変換装置であって、
ＩＳＵＰメッセージを受信する受信手段と、
ＩＳＵＰメッセージから番号ポータビリティに関連したパラメータを読み取る読み取り手段と、
番号ポータビリティに関連したパラメータによって番号ポータビリティの型を判定する型判定手段と、
番号ポータビリティの型に基づいて、番号ポータビリティに関連したパラメータをＳＩＰメッセージにマッピングするマッピング手段とを備え、ＳＩＰメッセージが、宛先ユーザ番号を表す宛先アドレスパラメータと、番号ポータビリティディップの実行を示し、番号ポータビリティの型を一意に識別する番号ポータビリティディップ（ｎｐｄｉ）パラメータと、宛先ユーザ番号に送られるべき番号を表すルーティング番号（ｒｎ）パラメータとを含む、装置。
【請求項６】
型判定手段が、
番号ポータビリティの型を引き出すために番号ポータビリティ型データベースに問い合わせる問い合わせユニットを備え、番号ポータビリティ型データベースが番号ポータビリティの型および対応するＩＳＵＰメッセージの中の番号ポータビリティに関連したパラメータを記録する、請求項５に記載の装置。
【請求項７】
番号ポータビリティ型データベースでは、
番号ポータビリティの型が型１である場合、対応するＩＳＵＰメッセージの中の番号ポータビリティに関連したパラメータが転送呼び出しインジケータ（ＦＣＩ）の中の番号変換インジケータビットと被呼者番号（ＣｄＰＮ）と一般アドレスパラメータ（ＧＡＰ）とを備え、
番号ポータビリティの型が型２である場合、対応するＩＳＵＰメッセージの中の番号ポータビリティに関連したパラメータが被呼者番号（ＣｄＰＮ）と被呼者電話帳番号（ＣｄＤＮ）とアドレスの性質（ＮＯＡ）パラメータとを備え、
番号ポータビリティの型が型３である場合、対応するＩＳＵＰメッセージの中の番号ポータビリティに関連したパラメータが被呼者番号（ＣｄＰＮ）とネットワークルーティング番号（ＮＲＮ）とを備え、
番号ポータビリティの型が型４である場合、対応するＩＳＵＰメッセージの中の番号ポータビリティに関連したパラメータが被呼者番号（ＣｄＰＮ）とアドレスの性質（ＮＯＡ）パラメータとを備え、被呼者番号がルーティング番号と電話帳番号とを連結することによって形成される、請求項６に記載の装置。
【請求項８】
マッピング手段が、
番号ポータビリティの型が型１である場合には、一般アドレスパラメータを宛先アドレスパラメータにマッピングし、被呼者番号をルーティング番号パラメータにマッピングし、番号ポータビリティの型が型２である場合には、被呼者電話帳番号を宛先アドレスパラメータにマッピングし、被呼者番号をルーティング番号パラメータにマッピングし、番号ポータビリティの型が型３である場合には、被呼者番号を宛先アドレスパラメータにマッピングし、ネットワークルーティング番号をルーティング番号パラメータにマッピングし、番号ポータビリティの型が型４である場合には、被呼者番号を宛先アドレスパラメータにマッピングするか、または被呼者番号の中の電話帳番号を宛先アドレスパラメータにマッピングし、被呼者番号の中のルーティング番号をルーティング番号パラメータにマッピングするマッピングユニットと、
番号ポータビリティの型が型１である場合には、ｎｐｄｉパラメータを値１に設定し、番号ポータビリティの型が型２である場合には、ｎｐｄｉパラメータを値２に設定し、番号ポータビリティの型が型３である場合には、ｎｐｄｉパラメータを値３に設定し、番号ポータビリティの型が型４である場合にはｎｐｄｉパラメータを値４に設定する設定ユニットとを備える、請求項７に記載の装置。
【請求項９】
番号ポータビリティサービスのためにセッション開始プロトコル（ＳＩＰ）メッセージをＩＳＤＮユーザパート（ＩＳＵＰ）メッセージに変換する方法であって、ＳＩＰメッセージが、宛先ユーザ番号を表す宛先アドレスパラメータと、番号ポータビリティディップの実行を示し、番号ポータビリティの型を一意に識別する番号ポータビリティディップ（ｎｐｄｉ）パラメータと、宛先ユーザ番号に送られるべき番号を表すルーティング番号（ｒｎ）パラメータとを含み、
受信手段により、ＳＩＰメッセージを受信するステップと、
読み取り手段により、番号ポータビリティの型を判定するために、ＳＩＰメッセージからｎｐｄｉパラメータを読み取るステップと、
パラメータ判定手段により、番号ポータビリティ型に基づいて、ＩＳＵＰメッセージの中の番号ポータビリティに関連したパラメータを判定するステップと、
マッピング手段により、ＳＩＰメッセージの中の宛先アドレスパラメータおよびルーティング番号パラメータをＩＳＵＰメッセージの中の番号ポータビリティに関連したパラメータに各々マッピングするステップとを備える、方法。
【請求項１０】
ＩＳＵＰメッセージの中の番号ポータビリティに関連したパラメータを判定するステップが、問い合わせユニットにより、番号ポータビリティに関連したパラメータを引き出すために番号ポータビリティ型データベースに問い合わせることを備え、番号ポータビリティ型データベースが番号ポータビリティの型および対応するＩＳＵＰメッセージの中の番号ポータビリティに関連したパラメータを記録する、請求項９に記載の方法。
【請求項１１】
番号ポータビリティ型データベースでは、
番号ポータビリティの型が型１である場合、対応するＩＳＵＰメッセージの中の番号ポータビリティに関連したパラメータが転送呼び出しインジケータ（ＦＣＩ）の中の番号変換インジケータビットと被呼者番号（ＣｄＰＮ）と一般アドレスパラメータ（ＧＡＰ）とを備え、
番号ポータビリティの型が型２である場合、対応するＩＳＵＰメッセージの中の番号ポータビリティに関連したパラメータが被呼者番号（ＣｄＰＮ）と被呼者電話帳番号（ＣｄＤＮ）とアドレスの性質（ＮＯＡ）パラメータとを備え、
番号ポータビリティの型が型３である場合、対応するＩＳＵＰメッセージの中の番号ポータビリティに関連したパラメータが被呼者番号（ＣｄＰＮ）とネットワークルーティング番号（ＮＲＮ）とを備え、
番号ポータビリティの型が型４である場合、対応するＩＳＵＰメッセージの中の番号ポータビリティに関連したパラメータが被呼者番号（ＣｄＰＮ）とアドレスの性質（ＮＯＡ）パラメータとを含み、被呼者番号が、ルーティング番号と電話帳番号とを連結することによって形成される、請求項１０に記載の方法。
【請求項１２】
ＳＩＰメッセージの中の宛先アドレスパラメータおよびルーティング番号パラメータをＩＳＵＰメッセージの中の番号ポータビリティに関連したパラメータに各々マッピングするステップが、
型１のためには、
番号変換インジケータビットを１に設定することと、
ルーティング番号パラメータを被呼者番号にマッピングすることと、
宛先アドレスパラメータを一般アドレスパラメータにマッピングすることとを備え、
型２のためには、
ルーティング番号パラメータを被呼者番号にマッピングすることと、
宛先アドレスパラメータを被呼者電話帳番号にマッピングすること、
アドレスの性質パラメータを番号ポータビリティのための特殊値に設定することとを備え、
型３のためには、
宛先アドレスパラメータを被呼者番号にマッピングすることと、
ルーティング番号パラメータをネットワークルーティング番号にマッピングすることとを備え、
型４のためには、
宛先アドレスパラメータを被呼者番号にマッピングすることと、
アドレスの性質パラメータを１２６に設定することとを備えるか、または
ルーティング番号パラメータと宛先アドレスパラメータを連結して、被呼者番号にマッピングすることと、
アドレスの性質パラメータを１２６に設定することとを備える、請求項１１に記載の方法。
【請求項１３】
番号ポータビリティサービスのためにセッション開始プロトコル（ＳＩＰ）メッセージをＩＳＤＮユーザパート（ＩＳＵＰ）メッセージに変換するための変換装置であって、ＳＩＰメッセージが、宛先ユーザ番号を表す宛先アドレスパラメータと、番号ポータビリティディップの実行を示し、番号ポータビリティの型を一意に識別する番号ポータビリティディップ（ｎｐｄｉ）パラメータと、宛先ユーザ番号に送られるべき番号を表すルーティング番号（ｒｎ）パラメータとを含み、
ＳＩＰメッセージを受信する受信手段と、
番号ポータビリティの型を判定するために、ＳＩＰメッセージからｎｐｄｉパラメータを読み取る読み取り手段と、
番号ポータビリティ型に基づいて、ＩＳＵＰメッセージの中の番号ポータビリティに関連したパラメータを判定するパラメータ判定手段と、
ＳＩＰメッセージの中の宛先アドレスパラメータおよびルーティング番号パラメータをＩＳＵＰメッセージの中の番号ポータビリティに関連したパラメータに各々マッピングするマッピング手段とを備える、装置。
【請求項１４】
パラメータ判定手段が、
ＩＳＵＰメッセージの中の番号ポータビリティに関連したパラメータを引き出すために番号ポータビリティ型データベースに問い合わせる問い合わせユニットを備え、番号ポータビリティ型データベースが番号ポータビリティの型および対応するＩＳＵＰメッセージの中の番号ポータビリティに関連したパラメータを記録する、請求項１３に記載の装置。
【請求項１５】
番号ポータビリティ型データベースでは、
番号ポータビリティの型が型１である場合、対応するＩＳＵＰメッセージの中の番号ポータビリティに関連したパラメータが転送呼び出しインジケータ（ＦＣＩ）の中の番号変換インジケータビットと被呼者番号（ＣｄＰＮ）と一般アドレスパラメータ（ＧＡＰ）とを備え、
番号ポータビリティの型が型２である場合、対応するＩＳＵＰメッセージの中の番号ポータビリティに関連したパラメータが被呼者番号（ＣｄＰＮ）と被呼者電話帳番号（ＣｄＤＮ）とアドレスの性質（ＮＯＡ）パラメータとを備え、
番号ポータビリティの型が型３である場合、対応するＩＳＵＰメッセージの中の番号ポータビリティに関連したパラメータが被呼者番号（ＣｄＰＮ）とネットワークルーティング番号（ＮＲＮ）とを備え、
番号ポータビリティの型が型４である場合、対応するＩＳＵＰメッセージの中の番号ポータビリティに関連したパラメータが被呼者番号（ＣｄＰＮ）とアドレスの性質（ＮＯＡ）パラメータとを備え、被呼者番号がルーティング番号と電話帳番号とを連結することによって形成される、請求項１４に記載の装置。
【請求項１６】
マッピング手段が、
型１のためには、ルーティング番号パラメータを被呼者番号にマッピングし、宛先アドレスパラメータを一般アドレスパラメータにマッピングし、型２のためには、ルーティング番号パラメータを被呼者番号にマッピングし、宛先アドレスパラメータを被呼者電話帳番号にマッピングし、型３のためには、宛先アドレスパラメータを被呼者番号にマッピングし、ルーティング番号パラメータをネットワークルーティング番号にマッピングし、型４のためには、宛先アドレスパラメータを被呼者番号にマッピングするか、またはルーティング番号パラメータと宛先アドレスパラメータとを連結して、被呼者番号にマッピングするマッピングユニットと、
型１のためには番号変換インジケータビットを１に設定し、型２のためにはアドレスの性質パラメータを番号ポータビリティのための特殊値に設定し、型４のためにはアドレスの性質パラメータを１２６に設定する設定ユニットとを備える、請求項１５に記載の装置。
【発明の詳細な説明】
【技術分野】
【０００１】
本発明は番号ポータビリティサービスに関し、詳細には、番号ポータビリティサービスを使用する場合のセッション開始プロトコル（ＳＩＰ）メッセージとＩＳＤＮユーザパート（ＩＳＵＰ）メッセージの間の変換のための技術に関する。
【背景技術】
【０００２】
近年、番号ポータビリティ（ＮＰ）サービスは非常に人気のある有用なサービスであり、これによって加入者は元の電話番号を持ち続けながら異なる通信事業者を選択することができる。旧来のＳＳ７ネットワークでは、番号ポータビリティサービスを実施する場合に番号ポータビリティのクエリを実行するための複数の方法が使用されることが可能であり、したがってＩＳＵＰシグナリングを介して番号ポータビリティ情報を搬送するために複数の方法が使用されることが可能である。
【０００３】
通信ネットワークがＶｏＩＰネットワークなどのインターネットプロトコル（ＩＰ）ベースのネットワークに徐々に進化するにつれて、スイッチ間のインターフェースもまたＳＩＰ−Ｉプロトコルインターフェースに置き換えられている。技術仕様書ＲＦＣ３３９８はＳＩＰメッセージとＩＳＵＰメッセージの間のマッピング方法の規則を規定しており、これらの規則に基づいて、ＩＳＵＰメッセージの中のパラメータはＳＩＰメッセージのフィールドに変換されることが可能である。番号ポータビリティ情報は通常ＩＳＵＰメッセージの初期アドレスメッセージ（ＩＡＭ）によって搬送されるので、ＲＦＣ３３９８はまた番号ポータビリティのためのＳＩＰメッセージの新たなパラメータ：番号ポータビリティディップ（ｄｉｐ）の実行を示すディップパラメータ（ｎｐｄｉ）、および宛先ユーザに送られるべきルーティング番号を格納するルーティング番号パラメータ（ｒｎ）も規定する。これらの２つの新たなパラメータは各々、転送呼び出しインジケータ（ＦＣＩ）の中の番号変換インジケータビット（ビットＭ）と旧来のＳＳ７ドメインのＩＳＵＰメッセージの中の被呼者番号（ＣｄＰＮ）に等しい。
【０００４】
さらに、ＩＰマルチメディアサブシステム（ＩＭＳ）ネットワークでは、番号ポータビリティサービスを実施するためにＥＮＵＭデータベースもまた使用されてよい。ＥＮＵＭは、ＩＥＴＦの電話番号マッピング作業部会によって規定されるプロトコルであり、Ｅ．１６４電話番号をドメイン名にマッピングするための規則、およびインターネットＤＮＳ（ドメイン名サーバ）データベースの中にドメイン名関連情報を格納する方法を規定する。ＥＮＵＭメカニズムを使用することによって、Ｅ．１６４電話番号は従来の電話番号、携帯電話番号、電子メールアドレス、ＩＰ電話番号、ＩＰファックスまたは個人のウェブページなどの様々な情報にマッピングされることが可能であり、加入者は簡単に番号ポータビリティを実現することができる。
【０００５】
ＳＩＰネットワークとＩＳＵＰネットワークとを含む通信システムについては、ネットワークのエッジのスイッチはＳＩＰインターフェースとＩＳＵＰインターフェースの両方を有する。例えば、ＳＩＰネットワークを介して呼び出しがＩＳＵＰネットワークの中の加入者によって開始され、ＩＳＵＰネットワークの中の加入者によって終了される場合、番号ポータビリティクエリが発呼側スイッチで実行された後、番号ポータビリティ情報を搬送するＩＳＵＰメッセージは被呼側スイッチに送信されることになる。ＩＳＵＰメッセージはＳＩＰネットワークの中へ入る場合、ＳＩＰネットワークの中での送信のためにＳＩＰメッセージに変換されなければならない。ＳＩＰメッセージはＩＳＵＰネットワークの中へ入る場合、再度ＩＳＵＰメッセージに変換されなければならない。したがってこの場合、ＩＳＵＰおよびＳＩＰメッセージは、何度も互いにマッピングされなければならない。
【０００６】
現在、旧来のＳＳ７ネットワークの中には様々な型の番号ポータビリティが存在する。しかしながらＳＩＰメッセージの中では、番号ポータビリティ情報は、前述のｎｐｄｉパラメータおよびｒｎパラメータによってのみ表されることが可能である。ＲＦＣ３３９８仕様書によれば、ＩＳＵＰメッセージの中の番号ポータビリティ情報をＳＩＰメッセージの中の番号ポータビリティ情報に変換するのは非常に容易である。番号ポータビリティ情報は、番号ポータビリティの型に関わらず、ＳＩＰメッセージの中でｎｐｄｉパラメータおよびｒｎパラメータによって表される。しかしながら、ＩＳＵＰメッセージからＳＩＰメッセージへのマッピングがｎ対１マッピングである一方で、ＳＩＰメッセージからＩＳＵＰメッセージへのマッピングは１対ｎマッピングであることから、ＳＩＰメッセージの中の番号ポータビリティ情報をＩＳＵＰメッセージにマッピングすることは非常に難しい。この種のマッピングには以下のような欠点がある：ＩＳＵＰメッセージが一旦ＳＩＰメッセージにマッピングされると、それ以降のスイッチは、どの型の番号ポータビリティが実行されたのかがわからないので、ＳＩＰメッセージが再びＩＳＵＰメッセージにマッピングされる場合に、スイッチには、ＳＩＰメッセージの中の番号ポータビリティ情報がＩＳＵＰメッセージの中のどのパラメータにマッピングされるべきなのかがわからず、これにより、ＳＩＰメッセージからマッピングされたＩＳＵＰが最初のＩＳＵＰメッセージと違ってしまう場合がある。
【０００７】
上述のように、ｎｐｄｉパラメータは番号ポータビリティディップの実行を示すために使用される。番号ポータビリティディップオペレーションが実行されている場合、ｎｐｄｉパラメータはＳＩＰメッセージの中に含まれる。このオペレーションが実行されていない場合、ｎｐｄｉパラメータはＳＩＰメッセージの中に含まれない。ＲＦＣ３３９８によれば、ＳＩＰメッセージ「Ｒｅｑｕｅｓｔ−ＵＲＩ」内に「ｎｐｄｉ＝ｙｅｓ」フィールドが含まれない場合、「ｔｅｌ  ＵＲＬ」の中の（宛先ユーザの電話番号を表す）番号はＩＳＵＰ形式に変換されなければならず、被呼側番号（ＣｄＰＮ）のためのパラメータになる。「Ｒｅｑｕｅｓｔ−ＵＲＩ」の中に「ｎｐｄｉ＝ｙｅｓ」フィールドが含まれる場合、ＩＡＭメッセージ内のＦＣＩの中の番号変換インジケータビットは、番号ポータビリティディップが実行されたことを反映しなければならない。しかしながらｎｐｄｉパラメータは、どの型の番号ポータビリティが実行されたのかということを示さない。
【先行技術文献】
【非特許文献】
【０００８】
【非特許文献１】技術仕様書ＲＦＣ３３９８
【発明の概要】
【発明が解決しようとする課題】
【０００９】
本発明は上述の技術的問題点に鑑みて提案されており、その目的は番号ポータビリティサービスのためにＩＳＵＰメッセージをＳＩＰメッセージに変換する方法および装置、ならびに番号ポータビリティサービスのためにＳＩＰメッセージをＩＳＵＰメッセージに変換する方法および装置を提供することであり、そのような方法および装置は、番号ポータビリティサービスを利用する場合に、ＳＩＰメッセージとＩＳＵＰメッセージの間の１対１マッピングを実現することができる。
【課題を解決するための手段】
【００１０】
本発明の第１の態様によって、番号ポータビリティサービスのためにＩＳＵＰメッセージをＳＩＰメッセージに変換する方法であって、ＩＳＵＰメッセージを受信することと、ＩＳＵＰメッセージから番号ポータビリティに関連したパラメータを読み取ることと、番号ポータビリティに関連したパラメータによって番号ポータビリティの型を判定することと、番号ポータビリティの型に基づいて、番号ポータビリティに関連したパラメータをＳＩＰメッセージにマッピングすることとを備え、ＳＩＰメッセージが宛先ユーザ番号を表す宛先アドレスパラメータと、番号ポータビリティディップの実行を示し、番号ポータビリティの型を一意に識別する番号ポータビリティディップ（ｎｐｄｉ）パラメータと、宛先ユーザ番号に送られるべき番号を表すルーティング番号（ｒｎ）パラメータとを含む方法が提供される。
【００１１】
本発明の第２の態様によって、番号ポータビリティサービスのためにＩＳＵＰメッセージをＳＩＰメッセージに変換するための変換装置であって、ＩＳＵＰメッセージを受信する受信手段と、ＩＳＵＰメッセージから番号ポータビリティに関連したパラメータを読み取る読み取り手段と、番号ポータビリティに関連したパラメータによって番号ポータビリティの型を判定する型判定手段と、番号ポータビリティの型に基づいて、番号ポータビリティに関連したパラメータをＳＩＰメッセージにマッピングするマッピング手段とを備え、ＳＩＰメッセージが宛先ユーザ番号を表す宛先アドレスパラメータと、番号ポータビリティディップの実行を示し、番号ポータビリティの型を一意に識別する番号ポータビリティディップ（ｎｐｄｉ）パラメータと、宛先ユーザ番号に送られるべき番号を表すルーティング番号（ｒｎ）パラメータとを含む装置が提供される。
【００１２】
本発明の第３の態様によって、番号ポータビリティサービスのためにＳＩＰメッセージをＩＳＵＰメッセージに変換する方法であって、ＳＩＰメッセージが宛先ユーザ番号を表す宛先アドレスパラメータと、番号ポータビリティディップの実行を示し、番号ポータビリティの型を一意に識別する番号ポータビリティディップ（ｎｐｄｉ）パラメータと、宛先ユーザ番号に送られるべき番号を表すルーティング番号（ｒｎ）パラメータとを含み、ＳＩＰメッセージを受信することと、番号ポータビリティの型を判定するために、ＳＩＰメッセージからのｎｐｄｉパラメータを読み取ることと、番号ポータビリティの型に基づいて、ＩＳＵＰメッセージの中の番号ポータビリティに関連したパラメータを判定することと、ＳＩＰメッセージの中の宛先アドレスパラメータおよびルーティング番号パラメータを、ＩＳＵＰメッセージの中の番号ポータビリティに関連したパラメータに各々マッピングすることを備える方法が提供される。
【００１３】
本発明の第４の態様によって、番号ポータビリティサービスのためにＳＩＰメッセージをＩＳＵＰメッセージに変換するため変換装置であって、ＳＩＰメッセージが宛先ユーザ番号を表す宛先アドレスパラメータと、番号ポータビリティディップの実行を示し、番号ポータビリティの型を一意に識別する番号ポータビリティディップ（ｎｐｄｉ）パラメータと、宛先ユーザ番号に送られるべき番号を表すルーティング番号（ｒｎ）パラメータとを含み、ＳＩＰメッセージを受信する受信手段と、番号ポータビリティの型を判定するために、ＳＩＰメッセージからのｎｐｄｉパラメータを読み取る読み取り手段と、番号ポータビリティの型に基づいて、ＩＳＵＰメッセージの中の番号ポータビリティに関連したパラメータを判定するパラメータ判定手段と、ＳＩＰメッセージの中の宛先アドレスパラメータおよびルーティング番号パラメータを各々、ＩＳＵＰメッセージの中の番号ポータビリティに関連したパラメータにマッピングするマッピング手段とを備える装置が提供される。
【図面の簡単な説明】
【００１４】
【図１】本発明の実施形態による番号ポータビリティサービスのためにＩＳＵＰメッセージをＳＩＰメッセージに変換する方法の流れ図である。
【図２】本発明の実施形態による番号ポータビリティサービスのためにＩＳＵＰメッセージをＳＩＰメッセージに変換するための変換装置の略ブロック図である。
【図３】本発明の実施形態による番号ポータビリティサービスのためにＳＩＰメッセージをＩＳＵＰメッセージに変換する方法の流れ図である。
【図４】本発明の実施形態による番号ポータビリティサービスのためにＳＩＰメッセージをＩＳＵＰメッセージに変換するための変換装置の略ブロック図である。
【図５】図１から４に示す実施形態が用いられる通信システムの略ブロック図である。
【発明を実施するための形態】
【００１５】
本発明の上述およびその他の目的、特徴および利点は、添付の図面とともに、以下の本発明の好ましい実施形態の詳細な説明を通してより明らかになると思われる。
【００１６】
図１は、本発明の実施形態による番号ポータビリティサービスのためにＩＳＵＰメッセージをＳＩＰメッセージに変換する方法の流れ図である。この実施形態は、図１とともにより詳細に説明される。
【００１７】
この実施形態では、ｎｐｄｉパラメータが番号ポータビリティの型を一意に識別することができるように、すなわちｎｐｄｉパラメータの値（正の整数）が番号ポータビリティの型を示すために使用されることが可能であるように、ＳＰＩメッセージの中のｎｐｄｉパラメータの意味および値は拡張される。番号ポータビリティの型は、スイッチと番号ポータビリティクエリデータベースの間のプロトコル、およびＩＳＵＰメッセージによって番号ポータビリティ情報を搬送するための方法によって判定されることが可能である。当然のことながら、当業者には、番号ポータビリティの型が他の手段によって判定されてもよいということを理解されたい。
【００１８】
図１に示すように、ステップＳ１０１で、番号ポータビリティ情報を搬送するＩＳＵＰメッセージが受信される。この実施形態では、番号ポータビリティ情報を搬送するＩＳＵＰメッセージはＩＡＭメッセージである。
【００１９】
次にステップＳ１１０で、番号ポータビリティに関連したパラメータがＩＳＵＰメッセージから読み取られる。これらのパラメータは、番号ポータビリティ情報を表す。ＩＳＵＰメッセージの中で、番号ポータビリティに関連したパラメータは、番号ポータビリティ情報を搬送するための異なる方法によって異なっている。以下は、最もよく使用されるＩＳＵＰメッセージによって番号ポータビリティ情報を搬送するための方法、および対応する番号ポータビリティに関連したパラメータである。
【００２０】
１．番号ポータビリティ情報を表すために、転送呼び出しインジケータの中の番号変換インジケータビット（ＦＣＩビットＭ）と被呼者番号（ＣｄＰＮ）と一般アドレスパラメータ（ＧＡＰ）とを使用する。この方法では、スイッチと番号ポータビリティデータベースの間のプロトコルは、ＩＳ４１またはＴ１．７０８プロトコルである。表１に示すように、番号ポータビリティクエリが実行された後、返送された１０桁のロケーションルーティング番号（ＬＲＮ）はＩＳＵＰメッセージのＣｄＰＮに配置され、元のダイヤルされた電話帳番号（ＤＮ）はＧＡＰに配置され、番号変換インジケータビットは、番号ポータビリティクエリが実行されたことを示して１に設定される。
【表１】
0005559887.tif 000002
【００２１】
２．番号ポータビリティ情報を表すために、被呼者番号（ＣｄＰＮ）、被呼者電話帳番号（ＣｄＤＮ）およびアドレスの性質（ＮＯＡ）パラメータを使用する。この方法では、表２に示すように、番号ポータビリティクエリが実行された後、返送されたルーティング番号（ＲＮ）はＣｄＰＮに配置され、電話帳番号（ＤＮ）はＣｄＤＮに配置され、ＮＯＡパラメータは番号ポータビリティのための特殊値に設定される。
【表２】
0005559887.tif 000003
【００２２】
３．番号ポータビリティ情報を表すために、被呼者番号（ＣｄＰＮ）およびネットワークルーティング番号（ＮＲＮ）を使用する。この方法では、表３に示すように、番号ポータビリティクエリが実行された後、返送されたルーティング番号（ＲＮ）はＮＲＮに配置され、電話帳番号（ＤＮ）は依然としてＣｄＤＮに配置される。
【表３】
0005559887.tif 000004
【００２３】
４．番号ポータビリティ情報を表すために、被呼者番号（ＣｄＰＮ）およびアドレスの性質（ＮＯＡ）パラメータを使用する。この方法では、表４に示すように、番号ポータビリティクエリが実行された後、返送されたルーティング番号（ＲＮ）は電話帳番号（ＤＮ）と連結され、連結されたＲＮとＤＮはＣｄＰＮに配置され、ＮＯＡパラメータは１２６に設定される。
【表４】
0005559887.tif 000005
【００２４】
ＩＳＵＰメッセージの中の番号ポータビリティに関連したいくつかの典型的なパラメータが上で示されてきたが、当業者には、番号ポータビリティに関連したパラメータはそれらに限定されず、番号ポータビリティ情報を表すためにその他のパラメータを含んでもよいということを理解されたい。番号ポータビリティに関連したパラメータは、通信システムの特性によって判定されることが可能である。
【００２５】
次いでステップＳ１２０では、ステップＳ１１０で読み取られた番号ポータビリティに関連したパラメータによって、番号ポータビリティの型が判定される。
【００２６】
この実施形態では、表５に示すように、番号ポータビリティ型データベースは番号ポータビリティの型とＩＳＵＰメッセージの中の番号ポータビリティに関連したパラメータとの関連を記録し、この関連はその番号ポータビリティの型でインデックス付けされる。
【表５】
0005559887.tif 000006
【００２７】
したがって、ＩＳＵＰメッセージの中の番号ポータビリティに関連したパラメータに対応する番号ポータビリティの型は、番号ポータビリティ型データベースに問い合わせることによって取得されることが可能である。番号ポータビリティ型データベースは、事前に作成されることが可能である。
【００２８】
次いでステップＳ１３０で、ＩＳＵＰメッセージの中の番号ポータビリティに関連したパラメータは、ステップＳ１２０で判定された番号ポータビリティ型に基づいてＳＩＰメッセージにマッピングされる。この実施形態では、ＳＩＰメッセージは宛先ユーザ番号を表す宛先アドレスパラメータと、番号ポータビリティディップの実行を示し、番号ポータビリティの型を一意に識別するｎｐｄｉパラメータと、宛先ユーザ番号に送られるべき番号を表すｒｎパラメータとを含む。既存のＳＩＰメッセージとは異なり、この実施形態のＳＩＰメッセージの中のｎｐｄｉパラメータは番号ポータビリティディップの実行を示すだけではなく、実行された番号ポータビリティの型を一意に識別する。通常、ＩＳＵＰシグナリングのＩＡＭメッセージは、ＳＩＰシグナリングのＩＮＶＩＴＥメッセージにマッピングされる。
【００２９】
具体的には、ステップＳ１２０で判定された番号ポータビリティ型が型１である場合、ＧＡＰパラメータは（ＩＮＶＩＴＥメッセージの中の「Ｒｅｑｕｅｓｔ−ＵＲＬ」フィールドの中の「「ｔｅｌ：」および「ｔｏ：」フィールドに対応する）宛先アドレスパラメータにマッピングされ、ＣｄＰＮはｒｎパラメータにマッピングされ、ｎｐｄｉパラメータは１に設定され、すなわちマッピングされたＳＩＰメッセージは「ｔｅｌ：＋ＧＡＰ，ｒｎ＝＋ＣｄＰＮ；ｎｐｄｉ＝１」である。
【００３０】
ステップＳ１２０で判定された番号ポータビリティの型が型２である場合、ＣｄＤＮは宛先アドレスパラメータにマッピングされ、ＣｄＰＮはｒｎパラメータにマッピングされ、ｎｐｄｉパラメータは２に設定され、すなわちマッピングされたＳＩＰメッセージは「ｔｅｌ：＋ＣｄＤＮ；ｒｎ＝＋ＣｄＰＮ；ｎｐｄｉ＝２」である。
【００３１】
ステップＳ１２０で判定された番号ポータビリティの型が型３である場合、ＣｄＰＮは宛先アドレスパラメータにマッピングされ、ＮＲＮはｒｎパラメータにマッピングされ、ｎｐｄｉパラメータは３に設定され、すなわちマッピングされたＳＩＰメッセージは「ｔｅｌ：＋ＣｄＰＮ；ｒｎ＝＋ＮＲＮ；ｎｐｄｉ＝３」である。
【００３２】
ステップＳ１２０で判定された番号ポータビリティの型が型４である場合、ＣｄＰＮは宛先アドレスパラメータにマッピングされ、ｎｐｄｉパラメータは４に設定され、すなわちマッピングされたＳＩＰメッセージは、「ｔｅｌ：＋ＣｄＰＮ；ｎｐｄｉ＝４」である。代替として、ＣｄＰＮの中のＤＮが宛先アドレスパラメータにマッピングされ、ＣｄＰＮの中のＲＮがｒｎパラメータにマッピングされ、ｎｐｄｉパラメータが４に設定され、すなわちマッピングされたＳＩＰメッセージは、「ｔｅｌ：＋ＤＮ；ｒｎ＝ＲＮ；ｎｐｄｉ＝４」である。
【００３３】
さらに、番号ポータビリティの型を識別するためにＳＩＰメッセージの中のｎｐｄｉパラメータが拡張される実施形態が上で説明されているが、番号ポータビリティの型を表すために新たなパラメータがＳＩＰメッセージの中に設定されることが可能であることを当業者には理解されたい。この場合、本実施形態のＩＳＵＰメッセージをＳＩＰメッセージに変換する方法もまた適用可能である。
【００３４】
上の説明から、本実施形態のＩＳＵＰメッセージをＳＩＰメッセージに変換する方法は、ＳＩＰメッセージの中のｎｐｄｉパラメータの意味および値を拡張することによって、ＩＳＵＰメッセージからＳＩＰメッセージへの１対１マッピングを実現し、それによって、ダウンストリームのスイッチにはどの種類の番号ポータビリティが実行されたのかがわからないという既存の問題を解決することができるということがわかる。
【００３５】
同じ発明概念の下で、図２は本発明の実施形態による番号ポータビリティサービスのためにＩＳＵＰメッセージをＳＩＰメッセージに変換するための変換装置２００の略ブロック図を示す。この実施形態は図２とともに詳細に説明され、先の実施形態と同じ部分についての説明は適宜省略される。
【００３６】
図２に示すように、本実施形態の変換装置２００は：ＩＳＵＰメッセージを受信する受信手段２０１と、受信されたＩＳＵＰメッセージから番号ポータビリティに関連したパラメータを読み取る読み取り手段２０２と、番号ポータビリティに関連した読み取りパラメータによって番号ポータビリティの型を判定する型判定手段２０３と、判定された番号ポータビリティの型に基づいて、受信されたＩＳＵＰメッセージの中の番号ポータビリティに関連したパラメータをＳＩＰメッセージにマッピングするマッピング手段２０４とを備える。ＳＩＰメッセージは：宛先ユーザ番号を表す宛先アドレスパラメータと、番号ポータビリティディップの実行を示し、番号ポータビリティの型を一意に識別するｎｐｄｉパラメータと、宛先ユーザ番号に送られるべき番号を表すｒｎパラメータとを含む。
【００３７】
変換装置２００では、受信手段２０１は番号ポータビリティ情報を搬送するＩＳＵＰメッセージを受信する。この実施形態では、ＩＳＵＰメッセージはＩＡＭメッセージである。次に読み取り手段２０２は、ＩＳＵＰメッセージから番号ポータビリティに関連したパラメータを読み取る。番号ポータビリティに関連したパラメータは上で詳細に説明されているので、ここではそれらの説明は省略される。
【００３８】
次いで、型判定手段２０３は、読み取り手段２０２によって読み取られた番号ポータビリティに関連したパラメータによって番号ポータビリティ型を判定する。具体的には、型判定手段２０３では、問い合わせユニット２０３１は、番号ポータビリティ型を引き出すために番号ポータビリティ型データベースに問い合わせる。表５に示すように、番号ポータビリティ型データベースは番号ポータビリティの型、および対応するＩＳＵＰメッセージの中の番号ポータビリティに関連したパラメータを記録する。
【００３９】
番号ポータビリティの型が判定された後、マッピング手段２０４は、読み取り手段２０２によって読み取られた番号ポータビリティに関連したパラメータをＳＩＰメッセージにマッピングする。
【００４０】
具体的には、マッピング手段２０４では、番号ポータビリティの型が型１である場合、マッピングユニット２０４１はＩＳＵＰメッセージの中のＧＡＰをＳＩＰメッセージの中の（ＩＮＶＩＴＥメッセージの中の「Ｒｅｑｕｅｓｔ−ＵＲＩ」フィールドの中の「ｔｅｌ：」および「ｔｏ：」フィールドに対応する）宛先アドレスパラメータにマッピングし、ＩＳＵＰメッセージの中のＣｄＰＮをＳＩＰメッセージの中のｒｎパラメータにマッピングする。設定ユニット２０４２は、ＳＩＰメッセージの中のｎｐｄｉパラメータを１に設定する。
【００４１】
番号ポータビリティの型が型２である場合、マッピングユニット２０４１はＩＳＵＰメッセージの中のＣｄＤＮをＳＩＰメッセージの中の宛先アドレスパラメータにマッピングし、ＩＳＵＰメッセージの中のＣｄＰＮをＳＩＰメッセージの中のｒｎパラメータにマッピングする。設定ユニット２０４２は、ＳＩＰメッセージの中のｎｐｄｉパラメータを２に設定する。
【００４２】
番号ポータビリティ型が型３である場合、マッピングユニット２０４１はＩＳＵＰメッセージの中のＣｄＰＮをＳＩＰメッセージの中の宛先アドレスパラメータにマッピングし、ＩＳＵＰメッセージの中のＮＲＮをＳＩＰメッセージの中のｒｎパラメータにマッピングする。設定ユニット２０４２は、ＳＩＰメッセージの中のｎｐｄｉパラメータを３に設定する。
【００４３】
番号ポータビリティの型が型４である場合、マッピングユニット２０４１はＩＳＵＰメッセージの中のＣｄＰＮをＳＩＰメッセージの中の宛先アドレスパラメータにマッピングする。代替として、マッピングユニット２０４１はＣｄＰＮの中のＤＮをＳＩＰメッセージの中の宛先アドレスパラメータにマッピングし、ＣｄＰＮの中のＲＮをＳＩＰメッセージの中のｒｎパラメータにマッピングする。設定ユニット２０４２は、ＳＩＰメッセージの中のｎｐｄｉパラメータを４に設定する。
【００４４】
本実施形態の変換装置２００は、図１に示すように、番号ポータビリティサービスのためにＩＳＵＰメッセージをＳＩＰメッセージに変換する方法を実施するために動作可能であることに留意されたい。
【００４５】
同じ発明概念の下で、図３は本発明の実施形態による番号ポータビリティサービスのためにＳＩＰメッセージをＩＳＵＰメッセージに変換する方法の流れ図を示す。この実施形態は図３とともに詳細に説明され、先の実施形態と同じ部分についての説明は適宜省略される。
【００４６】
この実施形態では、ＳＩＰメッセージの中のｎｐｄｉパラメータは、番号ポータビリティの型を一意に識別することができるように拡張される。拡張されたＳＩＰメッセージは：宛先ユーザ番号を表す宛先アドレスパラメータと、番号ポータビリティディップの実行を示し、番号ポータビリティの型を一意に識別するｎｐｄｉパラメータと、宛先ユーザ番号に送られるべき番号を表すｒｎパラメータとを備える。ＳＩＰメッセージの中のｎｐｄｉパラメータおよびｒｎパラメータは、番号ポータビリティ情報を表す。
【００４７】
番号ポータビリティの型については上で説明されているので、ここでは説明されない。
【００４８】
図３に示すように、ステップＳ３０１で、番号ポータビリティ情報を搬送するＳＩＰメッセージが受信される。この実施形態では、番号ポータビリティ情報を搬送するＳＩＰメッセージはＩＮＶＩＴＥメッセージである。
【００４９】
次にステップＳ３１０で、番号ポータビリティの型を判定するために、ＳＩＰメッセージの中のｎｐｄｉパラメータが読み取られる。上述のように、ｎｐｄｉパラメータは番号ポータビリティの型を一意に識別するので、ｎｐｄｉパラメータの値は番号ポータビリティの型とみなすことができる。
【００５０】
次いでステップＳ３２０で、ＩＳＵＰメッセージの中の番号ポータビリティに関連したパラメータは、ステップＳ３１０で判定された番号ポータビリティによって判定される。この実施形態では、番号ポータビリティ型データベースは、図５に示すように番号ポータビリティの型と対応するＩＳＵＰメッセージの中の番号ポータビリティに関連したパラメータの関連を記録する。したがって、番号ポータビリティの型に対応するＩＳＵＰメッセージの中の番号ポータビリティに関連したパラメータは、番号ポータビリティ型データベースに問い合わせることによって取得されることが可能である。この実施形態では、ＩＳＵＰメッセージはＩＡＭメッセージである。
【００５１】
次いでステップＳ３３０で、受信されたＳＩＰメッセージの中の宛先アドレスパラメータおよびｒｎパラメータは各々、ステップＳ３２０で判定されたＩＳＵＰメッセージの中の番号ポータビリティに関連したパラメータにマッピングされる。
【００５２】
具体的には、番号ポータビリティの型が型１である場合、ＩＳＵＰメッセージの中のＦＣＩビットＭは１に設定され、ＳＩＰメッセージの中のｒｎパラメータはＩＳＵＰメッセージの中のＣｄＰＮにマッピングされ、ＳＩＰパラメータの中の宛先アドレスパラメータはＩＳＵＰメッセージの中のＧＡＰにマッピングされる。
【００５３】
番号ポータビリティの型が型２である場合、ＳＩＰメッセージの中のｒｎパラメータはＩＳＵＰメッセージの中のＣｄＰＮにマッピングされ、ＳＩＰパラメータの中の宛先アドレスパラメータはＩＳＵＰメッセージの中のＣｄＤＮにマッピングされ、ＩＳＵＰメッセージの中のＮＯＡパラメータは番号ポータビリティのための特殊値に設定される。
【００５４】
番号ポータビリティの型が型３である場合、ＳＩＰパラメータの中の宛先アドレスパラメータはＩＳＵＰメッセージの中のＣｄＰＮにマッピングされ、ＳＩＰメッセージの中のｒｎパラメータはＩＳＵＰメッセージの中のＮＲＮにマッピングされる。
【００５５】
番号ポータビリティの型が型４である場合、ＳＩＰメッセージの中の宛先アドレスパラメータがＩＳＵＰメッセージの中のＣｄＰＮにマッピングされるか、またはＳＩＰメッセージの中のｒｎパラメータと宛先アドレスパラメータが連結されて、ＩＳＵＰメッセージの中のＣｄＰＮにマッピングされ、ＩＳＵＰメッセージの中のＮＯＡパラメータは１２６に設定される。
【００５６】
上の説明から、本実施形態の番号ポータビリティサービスのためにＳＩＰメッセージをＩＳＵＰメッセージに変換する方法は、ＳＩＰメッセージの中のｎｐｄｉパラメータの意味および値を拡張することによって、ＳＩＰメッセージからＩＳＵＰメッセージへの１対１マッピングを実現し、それによって、ダウンストリームのスイッチにはどの種類の番号ポータビリティが実行されたのかがわからず、したがってＳＩＰメッセージの中の番号ポータビリティ情報をＩＳＵＰメッセージの中のどのパラメータにマッピングすればいいのかわからないという既存の問題を解決することができるということがわかる。
【００５７】
同じ発明概念の下で、図４は、本発明の実施形態による番号ポータビリティサービスのためにＳＩＰメッセージをＩＳＵＰメッセージに変換するための変換装置４００の略ブロック図を示す。この実施形態は図４とともに詳細に説明され、先の実施形態と同じ部分についての説明は適宜省略される。
【００５８】
この実施形態では、ＳＩＰメッセージの中のｎｐｄｉパラメータは拡張される。拡張されたＳＩＰメッセージは、宛先ユーザ番号を表す宛先アドレスパラメータと、番号ポータビリティディップの実行を示し、番号ポータビリティの型を一意に識別するｎｐｄｉパラメータと、宛先ユーザ番号に送られるべき番号を表すｒｎパラメータとを備える。
【００５９】
図４に示すように、本実施形態の変換装置４００は：番号ポータビリティ情報を搬送するＳＩＰメッセージを受信する受信手段４０１と、番号ポータビリティの型を判定するために受信されたＳＩＰメッセージからｎｐｄｉパラメータを読み取る読み取り手段４０２と、判定された番号ポータビリティの型に基づいて、ＩＳＵＰメッセージの中の番号ポータビリティに関連したパラメータを判定するパラメータ判定手段４０３と、受信されたＳＩＰメッセージの中の宛先アドレスパラメータおよびｒｎパラメータを各々、ＩＳＵＰメッセージの中の判定された番号ポータビリティに関連したパラメータにマッピングするマッピング手段４０４とを備える。
【００６０】
本実施形態の変換装置４００では、受信手段４０１がＳＩＰメッセージを受信した後、読み取り手段４０２は番号ポータビリティの型を判定するために、ＳＩＰメッセージからｎｐｄｉパラメータを読み取る。上述のように、ｎｐｄｉパラメータは番号ポータビリティの型を一意に識別するので、ｎｐｄｉパラメータの値は番号ポータビリティの型とみなすことができる。
【００６１】
次いで、判定された番号ポータビリティの型は、ＩＳＵＰメッセージの中の番号ポータビリティに関連したパラメータを判定するために、パラメータ判定手段４０３に与えられる。具体的には、パラメータ判定手段４０３では、問い合わせユニット４０３１は、番号ポータビリティの型に対応するＩＳＵＰメッセージの中の番号ポータビリティに関連したパラメータを引き出すために、番号ポータビリティ型データベースに問い合わせる。番号ポータビリティ型データベースは表５に示すように、番号ポータビリティの型および対応するＩＳＵＰメッセージの中の番号ポータビリティに関連したパラメータを、インデックスとしての番号ポータビリティ型とともに記録する。
【００６２】
次いでマッピング手段４０４は、ＳＩＰメッセージの中の宛先アドレスパラメータおよびｒｎパラメータを、パラメータ判定手段４０３によって判定されたＩＳＵＰメッセージの中の番号ポータビリティに関連したパラメータに各々マッピングする。
【００６３】
具体的には、マッピング手段４０４では、番号ポータビリティの型が型１である場合、マッピングユニット４０４１はＳＩＰメッセージの中のｒｎパラメータをＩＳＵＰメッセージの中のＣｄＰＮにマッピングし、ＳＩＰメッセージの中の宛先アドレスパラメータをＩＳＵＰメッセージの中のＧＡＰにマッピングする。設定ユニット４０４２は、ＩＳＵＰメッセージの中のＦＣＩビットＭを１に設定する。
【００６４】
番号ポータビリティの型が型２である場合、マッピングユニット４０４１はＳＩＰメッセージの中のｒｎパラメータをＩＳＵＰメッセージの中のＣｄＰＮにマッピングし、ＳＩＰメッセージの中の宛先アドレスパラメータをＩＳＵＰメッセージの中のＣｄＤＮにマッピングする。設定ユニット４０４２は、ＩＳＵＰメッセージの中のＮＯＡパラメータを番号ポータビリティのための特殊値に設定する。
【００６５】
番号ポータビリティの型が型３である場合、マッピングユニット４０４１はＳＩＰメッセージの中の宛先アドレスパラメータをＩＳＵＰメッセージの中のＣｄＰＮにマッピングし、ＳＩＰメッセージの中のｒｎパラメータをＩＳＵＰメッセージの中のＮＲＮにマッピングする。
【００６６】
番号ポータビリティの型が型４である場合、マッピングユニット４０４１はＳＩＰメッセージの中の宛先アドレスパラメータをＩＳＵＰメッセージの中のＣｄＰＮにマッピングする。代替として、マッピングユニット４０４１はＳＩＰメッセージの中のｒｎパラメータと宛先アドレスパラメータを連結して、連結したｒｎパラメータと宛先アドレスパラメータをＩＳＵＰメッセージの中のＣｄＰＮにマッピングする。設定ユニット４０４２は、ＩＳＵＰメッセージの中のＮＯＡパラメータを１２６に設定する。
【００６７】
図３に示すように、本実施形態の変換装置４００は、番号ポータビリティサービスのためにＳＩＰメッセージをＩＳＵＰメッセージに変換する方法を実施するために動作可能であるということに留意されたい。
【００６８】
上述の実施形態の番号ポータビリティサービスのためにＩＳＵＰメッセージをＳＩＰメッセージに変換するための変換装置２００および番号ポータビリティサービスのためにＳＩＰメッセージをＩＳＵＰメッセージに変換するための変換装置４００、ならびにそれらの各々の構成要素は、大規模集積回路もしくはゲートアレイなどのハードウェア回路、論理チップもしくはトランジスタなどの半導体、またはフィールドプログラマブルゲートアレイ、プログラマブル論理回路などのプログラマブルハードウェアデバイスによって実装されてもよく、または様々な型のプロセッサで実行されるソフトウェアによって実装されることが可能であり、または上述のハードウェア回路とソフトウェアの組合せによって実装されることが可能である。
【００６９】
図５は、図１から４に示された実施形態が用いられることが可能な通信システムの略ブロック図である。この通信システムはＩＳＵＰネットワークとＳＩＰネットワークを備え、スイッチＡとスイッチＢがＩＳＵＰプロトコルを介して互いに通信され、スイッチＢとスイッチＣがＳＩＰネットワークを介して通信され、スイッチＣとスイッチＤがＩＳＵＰプロトコルを介して通信される。スイッチＡに属する発信端末がスイッチＤに属する着信端末への呼び出しを開始する場合、番号ポータビリティサービスが利用可能であれば、スイッチＡは番号ポータビリティクエリを実行し、番号ポータビリティクエリデータベースから返送された場所ルーティング番号（ＬＲＮ）を取得する。次いで、スイッチＡは番号ポータビリティ情報を搬送するＩＡＭメッセージを生成し、それをスイッチＢへ送信する。スイッチＢとスイッチＣはＳＩＰプロトコルを介して互いに通信されるので、スイッチＢは、その後ＳＩＰネットワークを介してスイッチＣに送信されるＳＩＰメッセージを取得するために、図１に示した実施形態のＩＳＵＰメッセージをＳＩＰメッセージに変換する方法を実行する。スイッチＣとスイッチＤの間でＩＳＵＰプロトコルが使用されるので、図３に示した実施形態のＳＩＰメッセージをＩＳＵＰメッセージに変換する方法は、その後スイッチＤに送信されるＩＳＵＰメッセージを取得するためにスイッチＣで実行される。さらに、スイッチＢとスイッチＣには、ＩＳＵＰメッセージをＳＩＰメッセージに変換するための変換装置とＳＩＰメッセージをＩＳＵＰメッセージに変換するための変換装置がそれぞれ提供される。
【００７０】
本発明の番号ポータビリティサービスのためにＩＳＵＰメッセージをＳＩＰメッセージに変換する方法および関連した変換装置に加えて、番号ポータビリティサービスのためにＳＩＰメッセージをＩＳＵＰメッセージに変換する方法および関連した変換装置もまた、いくつかの例示的な実施形態を通して上で説明されてきたが、これらの実施形態は網羅的なものではなく、当業者は本発明の精神および範囲の中で様々な変更および修正を実現することができる。したがって、本発明はこれらの実施形態に限定されず、本発明の範囲は添付の特許請求の範囲によってのみ規定される。
【図１】
0005559887.tif 000007
【図２】
0005559887.tif 000008
【図３】
0005559887.tif 000009
【図４】
0005559887.tif 000010
【図５】
0005559887.tif 000011